(57)【要約】      （修正有）【課題】下衣左右の前部を上衣と独立させると共にスカート状に合わせて固定するようにしたきものにおいて、背面側のおはしょりや縫い目を気にすることなく手軽に装着できるようにすること。【解決手段】きものの少なくとも後身頃１６と下衣１とを広幅の布で形成し、背縫い部並びに下衣のおくみ線及び脇縫い部を設けない形態となし、上衣前部１２をその下端が下衣前部２の上縁と重合する長さに構成し下衣前部に固定用の腰紐をとりつけた上下分離式着物。【選択図】図１
2005232628.tif 000002
【特許請求の範囲】
【請求項１】
下衣左右の前部を上衣と独立させると共にスカート状に合わせて固定するようにしたきものにおいて、きものの少なくとも後身頃と下衣とを広幅の布で形成して背縫い部並びに下衣のおくみ線及び脇縫い部を設けない形態となし、上衣前部をその下端が下衣前部の上縁と重合する長さに構成したきもの。
【請求項２】
上衣左前部の下端が装着する帯の下端縁より僅かに下方に臨む長さとした請求項１に記載のきもの。
【請求項３】
下衣前部の左右の側縁上部に前部固定用の腰紐を取り付けた請求項１又は２に記載のきもの。
【請求項４】
上衣前部の左右の側縁下部に前部固定用の締め紐を取り付けた請求項１、２又は３に記載のきもの。
【請求項５】
上衣の後身頃と下衣の後身頃とを別体に形成し、両者を縫着一体化させた請求項１、２、３又は４に記載のきもの。
【発明の詳細な説明】
【技術分野】
【０００１】
本発明は、下衣左右の前部を上衣と独立させると共にスカート状に合わせて固定するようにしたきものに関するものである。
【背景技術】
【０００２】
この種のきもとしては、特許文献１、２に開示されたものが公知となっている。
特許文献１では、左右のおくみ上片部分を衿に対して自由片となし、衿を長く延設すると共にその部分に腰紐を上下にずらせて捜通可能な長さの紐通しを縫着し、おはしょりの左前部分の上辺をおくみの上辺に沿って装着し、右前部分は着物本体側に縫着しない自由片部とし、両部分をファスナーで止着可能とし、背中に紐通しを縫着させたきものを開示している。
【０００３】
しかしながら、このきものでは、下衣左右のおくみの上片から後身頃全体にかけてあらかじめおはしょりが取り付けられ、下衣の左右の前部分を固定するための腰紐を衿の紐通しに捜通させるように構成されているから、腰紐を用いて前部を固定する際にこれらの全てを一括して締めつけることになる。
図面から明らかなように、このきものは並幅の通常の反物で形成されていて縦方向に縫い目が形成されているから、腰紐を締めつける際におはしょり部分を介して背縫い部、脇縫い部、おくみ線を縦方向に一致させなければならない。
また、、腰紐でおはしょり全体を一挙に締めつけてしまうため、おはしょり部分自体にもシワが生じてきれいなおはしょりを形成できない不都合がある。
このように、前身頃の固定と衿合わせ、縫い目の縦方向での一致並びにおはしょりのシワの調整を腰紐で固定する際に一挙に行わなければならないことになる。
したがって、きものの装着が従来のきのも以上に複雑となり、きれいな着姿を期待することができないことになる。
【０００４】
特許文献２では、下前身頃の上方と下方との間に５〜１５cmの間隔を空ける構成を採用することによって、前身頃の下方を固定する際に、背面部に自然におはしょりを形成できるきものを開示している。
しかしながら、このきものも並幅の通常の反物で形成されて縦方向に縫い目が現れることになるから、前身頃の下方の固定とおはしょりの形成とが同時に行えるとしても、上下の背縫い部、脇縫い部及びおくみ線を上下方向で一致させると共におはしょり部分の縫い目をもこれらの縫い部と一致させると同時に背面側のおはしょりに発生する皺を調整しなければならない。
したがって、この公知のきものにおいても、従来のきものの装着の複雑さを解消するには至っていないことになる。
【０００５】
きものの利用、装着が敬遠されるのは、その装着時におはしょりを形成しなければならないこと並びに縫い目線を一致させなければならないこと、が極めて面倒な作業となるからである。
洋服を着慣れた者にとって、これらの作業に順応することは極めて困難であり、とりわけ背面側において一致させなければならないことが最大の問題となるが、これらの公知のきものでは、この問題を全く解消できておらずおはしょりは従来どおりの方法で形成しなければならないことになる。
【特許文献１】実開平６−４２９０８号公報
【特許文献２】特開２００３−１３３０８公報
【発明の開示】
【発明が解決しようとする課題】
【０００６】
本発明は、下衣左右の前部を上衣と独立させると共にスカート状に合わせて固定するようにしたきものにおいて、背面側のおはしょりや縫い目を気にすることなく手軽に装着できるようにすることを課題としたものである。
【課題を解決するための手段】
【０００７】
この技術的課題を解決するための技術的手段は、（イ）きものの少なくとも後身頃と下衣とを広幅の布で形成し、（ロ）背縫い部並びに下衣のおくみ線及び脇縫い部を設けない形態となし、（ハ）上衣前部をその下端が下衣前部の上縁と重合する長さに構成したこと、である。
【０００８】
きものは、後身頃と下衣とが広幅の布で形成されているから、きもの全体の背面に縫い目、すなわち背縫い部が形成されず、且つ、下衣のおくみ線や脇縫い部が形成されていないから、下衣のおくみ、前身頃及び後身頃が連続して形成されることになる。
したがって、きものを装着する際には、下衣の左右の前部を巻きスカート状に巻き付けることによってきものの下衣の装着が完了する。その時、本来背面の中央に位置する背縫い部の位置、すなわち背中の中心線を気にする必要はないし、脇縫いやおくみ線もないから、これらの相関関係を考慮することなく、下衣だけの装着に専念して手軽に装着することができる。
【０００９】
上衣は、前部の下端が下衣前部の上縁と重合する長さに構成されていて、締め紐を使用して上衣を重ねた状態を固定するだけできものの上衣の装着が完了する。
上衣と下衣の前部同志の重なりは、下衣の長さ、帯幅、帯の装着位置などを勘案して決定することになるが、通常は８〜１５cm程度設けておくことが望ましい。
もっとも屈伸機会の多いきものの後身頃が連続させられ、上衣と下衣とが重合させられているから、きものを装着した状態で動いても上衣と下衣との間で着姿が乱れる心配はない。
このとき、背面部にはおはしょりが形成される余分な部分が生まれないから、すっきりした背面を形成することができるし、上衣と下衣とで背縫い部を一致させることを心配する必要もない。
したがって、上衣を重ねる場合においても羽織る感覚で重ねられるから、きもの自体を洋服感覚で手軽に装着することができる。
【発明の効果】
【００１０】
背面側のおはしょりや縫い目を気にすることなく、手軽に装着できる結果、洋服と同じ感覚で利用することができる利点がある。
また広幅の生地を使用して縫製されるから、従来のきものに比べて縫合部分が少なくなり、縫製も効率よく行える利点もある。
【発明を実施するための最良の形態】
【００１１】
上衣左前部の下端が装着する帯の下端縁より僅かに下方に臨む長さ、すなわち帯を装着した状態で前部の下端が帯の下側に見える状態にしておくと、きもの装着時において、前側だけおはしょりがあるように見えるから、体面時におはしょりの雰囲気を醸し出すことができる。
【００１２】
下衣を巻き付けた状態を固定するために従来から使用されている腰紐を使用することができるが、下衣前部の左右の側縁上部に前部固定用の締め紐を取り付けておくと、下衣を巻き付けたまま連続して固定作業に移行することができる。
上衣の重ね合わせも同様である。締め紐を使用して固定するようにしてもよいが、上衣前部の左右の側縁下部に前部固定用の締め紐を取り付けておくと、下衣を巻き付けたまま連続して固定作業に移行することができる。
腰紐や締め紐を使用する場合には、平紐を使用すると後工程で帯を装着する際にゴワツキを防止することができる。
紐を使用して上衣や下衣を固定すると締まり具合のよい装着となるが、締めつけを嫌う人の場合には、面ファスナーを利用して前部同志を固定するようにしてもよい。勿論、紐と面ファスナーを併用することもできる。
【００１３】
上衣の後身頃と下衣の後身頃とは連続させて仕立ててもよいが、別体に形成したものを縫着一体化させるようにしてもよい。後者の場合は、伸長にあわせて長さを調節できる利点がある。
本発明に係るきものは、絹、ウール、合成繊維などからなる生地で形成することもできるが、絹と他の素材とを混合させた生地、とりわけ絹とウールとを混合させた繊維を使用すると腰があって皺になりにくい着物にすることができる。
なお、上衣については、仕立てる際に衿と共にきものの雰囲気を醸しだせるように、おくみを設けるようにしてもよく、そのように仕立てても縫製作業が極端に増加することはない。
【実施例】
【００１４】
図１は本発明に係るきものの正面概略図であり、この実施例では、絹６０％、ウール４０％を混合させた繊維からなる生地を使用してきものを形成している。
下衣１の左右の前部２、２は、脇下のほぼウエストの部分で上衣１１と分離してあり、後身頃は同じ生地で連続して形成している。下衣１の左右の前部２、２には、おくみ部を縫着させておらず、上下の後身頃１６、６と下衣１とを一枚の広幅の布地で仕立てた構成となっていて、背縫い、おくみ線及び下衣の脇縫いは存在していない。なお、この実施例では、左の前部裏側に見返し７を縫着させている。
下衣前部の側縁上部には平紐からなる腰紐３、３の一端が固定してあって、前部を巻き付けた状態でこの腰紐を利用して下衣を固定できるようになっている。
【００１５】
上衣１１は、後身頃１６並びに左右に配置した前身頃１２、１２、袖１３、１３及び背面中央で連続している衿１４、１４を縫着させて形成している。
なお、この実施例では、前身頃１２と衿１４の下部の間におくみ１５を配置した例を示している。
上衣の前身頃１２、衿１４及びおくみ１５からなる前部の下端は、下衣１と約１５cm重ね合わせてあり、図示しない帯を装着した状態で２〜３cm程度おびの下端縁から下方に臨むようにしている。
【００１６】
衿の下部には前身頃を重ねあわせた状態で上衣１１を固定するための平紐からなる締め紐１８、１８の一端を固定している。
右衿側の締め紐は、左脇に設けている身八ツ口（図示せず）を通し、左右の紐１８、１８同志を上衣１１の外側を巻いた後に括ることになる。
【図面の簡単な説明】
【００１７】
【図１】本発明に係るきものの正面概略図
【符号の説明】
【００１８】
１きものの下衣、  ２下衣前部、  ３腰紐、  ６下衣後身頃、  ７見返し、  １１上衣、  １２上衣前身頃、  １３袖、  １４衿、  １６上衣後身頃、  １８上衣締め紐
【図１】
2005232628.tif 000003